(57)【要約】  本出願の実施例は、セル再選択方法、装置及びシステムを提供し、通信分野に関する。前記方法は、端末がサービングセルのシステム情報を受信することと、前記端末が前記システム情報から隣接セルの構成情報を取得し、前記構成情報にセル再選択に関連する情報が含まれることと、前記端末が前記隣接セルの構成情報、前記サービングセルの信号品質及び前記隣接セルの信号品質に基づいて、セル再選択を行うこととを含む。端末は、サービングセルのシステム情報から隣接セルの構成情報を直接取得でき、隣接セルのシステム情報をセンシングする必要がなく、又は隣接セルのシステム情報に対するセンシングを低減させるため、端末の計算リソース及び電力消費を低減させる。
2021518062.tif 000002
【特許請求の範囲】
【請求項１】
セル再選択方法であって、
端末が、サービングセルのシステム情報を受信することと、
前記端末が、前記システム情報から隣接セルの構成情報を取得し、前記構成情報にセル再選択に関連する情報が含まれることと、
前記端末が、前記隣接セルの構成情報、前記サービングセルの信号品質及び前記隣接セルの信号品質に基づいて、セル再選択を行うこととを含む、前記方法。
【請求項２】
前記隣接セルの構成情報は、
前記隣接セルの所在する広帯域キャリアの同期信号ブロック構成情報、
公衆陸上移動体ネットワークリスト、
トラッキングエリア、
許容される最大上り送信電力、
セルアクセス禁止状態インジケータのうちの少なくとも１つを含むことを特徴とする
請求項１に記載の方法。
【請求項３】
前記同期信号ブロック構成情報は、周波数点位置、物理セル識別子及びセルグローバル識別子のうちの少なくとも１つを含むことを特徴とする
請求項２に記載の方法。
【請求項４】
前記端末がサービングセルのシステム情報を受信することは、
前記端末が、前記サービングセルの物理ブロードキャストチャネルによって、最小システム情報の第１スケジューリング情報を決定することと、
前記端末が、前記第１スケジューリング情報に基づいて前記最小システム情報を受信することと、
前記端末が、前記最小システム情報によって、他のシステム情報の第２スケジューリング情報を決定することと、
前記端末が、前記第２スケジューリング情報に基づいて、ターゲットシステム情報ブロックを受信し、前記ターゲットシステム情報ブロックに、前記隣接セルの構成情報が含まれることとを含むことを特徴とする
請求項１から３のいずれか一項に記載の方法。
【請求項５】
前記ターゲットシステム情報ブロックは、システム情報ブロック３、システム情報ブロック４、システム情報ブロック５、システム情報ブロック６、システム情報ブロック７及びシステム情報ブロック８のうちの少なくとも１つを含むことを特徴とする
請求項４に記載の方法。
【請求項６】
前記端末が前記構成情報に基づいてセル再選択を行うことは、
前記構成情報及び前記隣接セルの信号品質に基づいて、前記隣接セルが適切な候補隣接セルであるかを判定することと、
前記隣接セルが適切な候補隣接セルである場合、前記サービングセルの信号品質及び前記隣接セルの信号品質に基づいて、セル再選択を行うこととを含むことを特徴とする
請求項２に記載の方法。
【請求項７】
システム情報送信方法であって、
アクセスネットワーク装置が、サービングセルの隣接セルの構成情報を取得し、前記構成情報にセル再選択に関連する情報が含まれることと、
前記アクセスネットワーク装置が、前記サービングセルのシステム情報を生成し、前記システム情報に前記隣接セルの構成情報が含まれることと、
前記アクセスネットワーク装置が、端末に前記サービングセルのシステム情報を送信することとを含み、
前記端末が、前記サービングセルにキャンプオンする端末であり、前記構成情報が、前記端末がセル再選択を行うためのものである、前記方法。
【請求項８】
前記隣接セルの構成情報は、
前記隣接セルの所在する広帯域キャリアの同期信号ブロック構成情報、
公衆陸上移動体ネットワークリスト、
トラッキングエリア、
許容される最大上り送信電力、
セルアクセス禁止状態インジケータのうちの少なくとも１つを含むことを特徴とする
請求項７に記載の方法。
【請求項９】
前記同期信号ブロック構成情報は、周波数点位置、物理セル識別子及びセルグローバル識別子のうちの少なくとも１つを含むことを特徴とする
請求項８に記載の方法。
【請求項１０】
前記システム情報は、最小システム情報及び他のシステム情報を含み、
前記最小システム情報に、前記他のシステム情報のスケジューリング情報が含まれ、
前記他のシステム情報におけるターゲットシステム情報ブロックに前記隣接セルの構成情報が含まれることを特徴とする。
請求項７から９のいずれか一項に記載の方法。
【請求項１１】
前記ターゲットシステム情報ブロックは、システム情報ブロック３、システム情報ブロック４、システム情報ブロック５、システム情報ブロック６、システム情報ブロック７及びシステム情報ブロック８のうちの少なくとも１つを含むことを特徴とする
請求項１０に記載の方法。
【請求項１２】
セル再選択装置であって、
サービングセルのシステム情報を受信するように構成される受信モジュールと、
前記システム情報から隣接セルの構成情報を取得するように構成される処理モジュールであって、前記構成情報にセル再選択に関連する情報が含まれる処理モジュールとを備え、
前記処理モジュールが、前記隣接セルの構成情報、前記サービングセルの信号品質及び前記隣接セルの信号品質に基づいて、セル再選択を行うように構成される、前記装置。
【請求項１３】
前記隣接セルの構成情報は、
前記隣接セルの所在する広帯域キャリアの同期信号ブロック構成情報、
公衆陸上移動体ネットワークリスト、
トラッキングエリア、
許容される最大上り送信電力、
セルアクセス禁止状態インジケータのうちの少なくとも１つを含むことを特徴とする
請求項１２に記載の装置。
【請求項１４】
前記同期信号ブロック構成情報は、周波数点位置、物理セル識別子及びセルグローバル識別子のうちの少なくとも１つを含むことを特徴とする
請求項１３に記載の装置。
【請求項１５】
前記処理モジュールは、前記サービングセルの物理ブロードキャストチャネルによって、最小システム情報の第１スケジューリング情報を決定するように構成され、
前記処理モジュールは、前記第１スケジューリング情報に基づいて、前記最小システム情報を受信するように構成され、
前記処理モジュールは、前記最小システム情報によって、他のシステム情報の第２スケジューリング情報を決定するように構成され、
前記処理モジュールは、前記第２スケジューリング情報に基づいて、ターゲットシステム情報ブロックを受信するように構成され、前記ターゲットシステム情報ブロックに、前記隣接セルの構成情報が含まれることを特徴とする
請求項１２から１４のいずれか一項に記載の装置。
【請求項１６】
前記ターゲットシステム情報ブロックは、システム情報ブロック３、システム情報ブロック４、システム情報ブロック５、システム情報ブロック６、システム情報ブロック７及びシステム情報ブロック８のうちの少なくとも１つを含むことを特徴とする
請求項１５に記載の装置。
【請求項１７】
前記処理モジュールは、前記構成情報及び前記隣接セルの信号品質に基づいて、前記隣接セルが適切な候補隣接セルであるかを判定するように構成され、
前記処理モジュールは、前記隣接セルが適切な候補隣接セルである場合、前記サービングセルの信号品質及び前記隣接セルの信号品質に基づいて、セル再選択を行うように構成されることを特徴とする
請求項１３に記載の装置。
【請求項１８】
システム情報送信装置であって、
サービングセルの隣接セルの構成情報を取得し、前記構成情報にセル再選択に関連する情報が含まれることと、前記サービングセルのシステム情報を生成し、前記システム情報に前記隣接セルの構成情報が含まれることと、を実行するように構成される処理モジュールと、
端末に前記サービングセルのシステム情報を送信するように構成される送信モジュールとを備え、
前記端末が、前記サービングセルにキャンプオンする端末であり、前記構成情報が、前記端末がセル再選択を行うためのものである、前記装置。
【請求項１９】
前記隣接セルの構成情報は、
前記隣接セルの所在する広帯域キャリアの同期信号ブロック構成情報、
公衆陸上移動体ネットワークリスト、
トラッキングエリア、
許容される最大上り送信電力、
セルアクセス禁止状態インジケータのうちの少なくとも１つを含むことを特徴とする
請求項１８に記載の装置。
【請求項２０】
前記同期信号ブロック構成情報は、周波数点位置、物理セル識別子及びセルグローバル識別子のうちの少なくとも１つを含むことを特徴とする
請求項１９に記載の装置。
【請求項２１】
前記システム情報は、最小システム情報及び他のシステム情報を含み、
前記最小システム情報に、前記他のシステム情報のスケジューリング情報が含まれ、
前記他のシステム情報におけるターゲットシステム情報ブロックに前記隣接セルの構成情報が含まれることを特徴とする。
請求項１８から２０のいずれか一項に記載の装置。
【請求項２２】
前記ターゲットシステム情報ブロックは、システム情報ブロック３、システム情報ブロック４、システム情報ブロック５、システム情報ブロック６、システム情報ブロック７及びシステム情報ブロック８のうちの少なくとも１つを含むことを特徴とする
請求項２１に記載の装置。
【請求項２３】
端末であって、プロセッサとメモリとを備え、前記メモリに少なくとも１つの命令が記憶されており、前記少なくとも１つの命令は、前記プロセッサにより実行されて請求項１から６のいずれか一項に記載のセル再選択方法を実現するためのものである、前記端末。
【請求項２４】
アクセスネットワーク装置であって、プロセッサとメモリとを備え、前記メモリに少なくとも１つの命令が記憶されており、前記少なくとも１つの命令は、前記プロセッサにより実行されて請求項７から１１のいずれか一項に記載のセル再選択方法を実現するためのものである、前記装置。
【請求項２５】
コンピュータ可読記憶媒体であって、少なくとも１つの命令が記憶されており、前記少なくとも１つの命令は、プロセッサにより実行されて請求項１から６のいずれか一項に記載のセル再選択方法を実現するためのものである、前記コンピュータ可読記憶媒体。
【請求項２６】
コンピュータ可読記憶媒体であって、少なくとも１つの命令が記憶されており、前記少なくとも１つの命令は、プロセッサにより実行されて請求項７から１１のいずれか一項に記載のセル再選択方法を実現するためのものである、前記コンピュータ可読記憶媒体。
【請求項２７】
通信システムであって、端末とアクセスネットワーク装置とを備え、
前記端末は、請求項１２から１７のいずれか一項に記載の装置を含み、前記アクセスネットワーク装置は、請求項１８から２２のいずれか一項に記載装置を含むか、
又は、
前記端末は、請求項２３に記載の端末であり、前記アクセスネットワーク装置は、請求項２４に記載のアクセスネットワーク装置である、前記通信システム。
【発明の詳細な説明】
【技術分野】
【０００１】
本出願の実施例は、通信分野に関し、特にセル再選択方法、装置及びシステムに関する。
【背景技術】
【０００２】
アイドル（ｉｄｌｅ）状態にある端末がセルにアクセスする場合に、一般的には、公衆陸上移動体ネットワーク（Ｐｕｂｌｉｃ  Ｌａｎｄ  Ｍｏｂｉｌｅ  Ｎｅｔｗｏｒｋ：ＰＬＭＮ）選択、セル選択／セル再選択及び位置登録等のプロセスを行う必要がある。ここで、セル選択／セル再選択プロセスにより、端末に、適切なセルにキャンプオンさせることができる。
【０００３】
関連技術のセル再選択プロセスにおいて、端末は、隣接セルのシステム情報ブロック（Ｓｙｓｔｅｍ  Ｉｎｆｏｒｍａｔｉｏｎ  Ｂｌｏｃｋ：ＳＩＢ）１を読み取り、隣接セルのＳＩＢ１から隣接セルの構成情報を取得し、隣接セルの構成情報に基づいて、隣接セルが適切なセルであるかを判定し、隣接セルが適切なセルである場合、サービングセル及び隣接セルのセル信号品質に参照してセル再選択を行う。
【発明の概要】
【発明が解決しようとする課題】
【０００４】
本出願の実施例は、セル再選択方法、装置及びシステムを提供する。
【課題を解決するための手段】
【０００５】
本出願の第１態様によれば、セル再選択方法を提供し、前記方法は、
端末がサービングセルのシステム情報を受信することと、
前記端末が前記システム情報から隣接セルの構成情報を取得し、前記構成情報にセル再選択に関連する情報が含まれることと、
前記端末が前記隣接セルの構成情報、前記サービングセルの信号品質及び前記隣接セルの信号品質に基づいて、セル再選択を行うこととを含む。
【０００６】
本出願の第２態様によれば、システム情報送信方法を提供し、前記方法は、
アクセスネットワーク装置が、サービングセルの隣接セルの構成情報を取得し、前記構成情報にセル再選択に関連する情報が含まれることと、
前記アクセスネットワーク装置が前記サービングセルのシステム情報を生成し、前記システム情報に前記隣接セルの構成情報が含まれることと、
前記アクセスネットワーク装置が端末に前記サービングセルのシステム情報を送信することとを含み、
前記端末が、前記サービングセルにキャンプオンする端末であり、前記構成情報が、前記端末がセル再選択を行うためのものである。
【０００７】
本出願の第３態様によれば、セル再選択装置を提供し、前記装置は、
サービングセルのシステム情報を受信するように構成される受信モジュールと、
前記システム情報から隣接セルの構成情報を取得するように構成される処理モジュールであって、前記構成情報にセル再選択に関連する情報が含まれる処理モジュールとを備え、
前記処理モジュールが、前記隣接セルの構成情報、前記サービングセルの信号品質及び前記隣接セルの信号品質に基づいて、セル再選択を行うように構成される。
【０００８】
本出願の第４態様によれば、システム情報送信装置を提供し、前記装置は、
サービングセルの隣接セルの構成情報を取得し、前記構成情報にセル再選択に関連する情報が含まれることと、前記サービングセルのシステム情報を生成し、前記システム情報に前記隣接セルの構成情報が含まれることと、を実行するように構成される処理モジュールと、
端末に前記サービングセルのシステム情報を送信するように構成される送信モジュールとを備え、
前記端末が、前記サービングセルにキャンプオンする端末であり、前記構成情報が、前記端末がセル再選択を行うためのものである。
【０００９】
本出願の第５態様によれば、端末を提供し、前記端末は、プロセッサとメモリとを備え、前記メモリに少なくとも１つの命令が記憶されており、前記少なくとも１つの命令は、前記プロセッサにより実行されて上記第１態様に記載のセル再選択方法を実現するためのものである。
【００１０】
本出願の第６態様によれば、アクセスネットワーク装置を提供し、前記アクセスネットワーク装置は、プロセッサとメモリとを備え、前記メモリに少なくとも１つの命令が記憶されており、前記少なくとも１つの命令は、前記プロセッサにより実行されて上記第２態様に記載のシステム情報送信方法を実現させるためのものである。
【００１１】
本出願の第７態様によれば、コンピュータ可読記憶媒体を提供し、前記記憶媒体に少なくとも１つの命令が記憶されており、前記少なくとも１つの命令は、プロセッサにより実行されて上記第１態様に記載のセル再選択方法を実現するためのものである。
【００１２】
本出願の第８態様によれば、コンピュータ可読記憶媒体を提供し、前記記憶媒体に少なくとも１つの命令が記憶されており、前記少なくとも１つの命令は、プロセッサにより実行されて上記第２態様に記載のシステム情報送信方法を実現させるためのものである。
【００１３】
本出願の第９態様によれば、通信システムを提供し、前記システムは、端末とアクセスネットワーク装置とを備え、
前記端末は、第３態様に記載の装置を含み、前記アクセスネットワーク装置は、第４態様に記載の装置を含むか、又は、前記端末は、第５態様に記載の端末であり、前記アクセスネットワーク装置は、第６態様に記載のアクセスネットワーク装置である。
【発明の効果】
【００１４】
本出願の実施例が提供する技術的解決手段の有益な効果は以下のとおりである。
【００１５】
端末は、現在キャンプオンしているサービングセルのシステム情報によって、隣接セルの構成情報を直接取得し、隣接セルの構成情報及び隣接セルの信号品質に基づいてセル再選択を行う。端末は、サービングセルのシステム情報から隣接セルの構成情報を直接取得でき、隣接セルのシステム情報をセンシングする必要がなく、又は隣接セルのシステム情報に対するセンシングを低減させるため、端末の計算リソース及び電力消費を低減させる。
【図面の簡単な説明】
【００１６】
【図１】本出願の一概略的な実施例による移動体通信システムの構成を示す概略図である。
【図２】本出願の一概略的な実施例によるセル再選択方法を示すフローチャートである。
【図３】本出願の別の概略的な実施例によるセル再選択方法を示すフローチャートである。
【図４】本出願の別の概略的な実施例によるＳＳＢの時間領域の構成を示す図である。
【図５】本出願の一概略的な実施例によるセル再選択装置を示すブロック図である。
【図６】本出願の別の概略的な実施例によるセル再選択装置を示すブロック図である。
【図７】本出願の別の概略的な実施例による端末の構成を示すブロック図である。
【図８】本出願の別の概略的な実施例によるアクセスネットワーク装置の構成を示すブロック図である。
【００１７】
本出願の実施例における技術的解決手段をより明確に説明するために、以下、実施例の説明に使用される図面を簡単に説明する。明らかに、以下の説明における図面はいくつかの実施例に過ぎず、当業者は創造的労働を行わない前提で、これらの図面に基づいてその他の図面を得ることもできる。
【発明を実施するための形態】
【００１８】
本出願の目的、技術的解決手段及び利点をより明瞭にするために、以下、図面を参照しながら、本出願の実施形態を更に詳しく説明する。
【００１９】
本明細書中に述べられている「モジュール」とは、一般的には、メモリに記憶されおりいくらかの機能を実現させることができるプログラム又は命令を指す。本明細書中に述べられている「ユニット」とは、一般的には、論理的に区分された機能的構成を指す。該「ユニット」は、純粋なハードウェアにより実現してもよいし、ソフトウェアとハードウェアとの組み合わせにより実現してもよい。
【００２０】
本明細書に述べられている「複数」とは、２つ又は２以上を指す。「及び／又は」は、関連対象の関連関係を説明するためのものであり、３通りの関係が存在することを表す。例えば、Ａ及び／又はＢは、Ａのみが存在すること、ＡとＢが同時に存在すること、Ｂのみが存在するという３つの場合を表す。文字「／」は、一般的に、前後の関連対象が、「又は」の関係であることを表す。本明細書及び特許請求の範囲に使用されている「第１」、「第２」及び類似した用語は、如何なる順番、数又は重要度を示すものではなく、異なる構成要素を区別するためのものに過ぎない。
【００２１】
本出願の一実施例による移動体通信システムの構成を示す概略図である図１を参照する。該移動体通信システムは、ＮＲシステムとも呼ばれる５Ｇシステムであってもよい。該移動体通信システムは、アクセスネットワーク装置１２０と、端末１４０とを備える。
【００２２】
アクセスネットワーク装置１２０は基地局であってもよい。例えば、基地局は、５Ｇシステムにおける集中分散型アーキテクチャを利用している基地局（ｇＮＢ）であってもよい。アクセスネットワーク装置１２０は、集中分散型アーキテクチャを利用している場合、一般的には、集中ユニット（ｃｅｎｔｒａｌ  ｕｎｉｔ：ＣＵ）及び少なくとも２つ分散ユニット（ｄｉｓｔｒｉｂｕｔｅｄ  ｕｎｉｔ：ＤＵ）を備える。集中ユニットには、パケットデータコンバージェンスプロトコル（Ｐａｃｋｅｔ  Ｄａｔａ  Ｃｏｎｖｅｒｇｅｎｃｅ  Ｐｒｏｔｏｃｏｌ：ＰＤＣＰ）層、無線リンク制御プロトコル（Ｒａｄｉｏ  Ｌｉｎｋ  Ｃｏｎｔｒｏｌ：ＲＬＣ）層、媒体アクセス制御（Ｍｅｄｉａ  Ａｃｃｅｓｓ  Ｃｏｎｔｒｏｌ：ＭＡＣ）層のプロトコルスタックが設けられる。分散ユニットには、物理（Ｐｈｙｓｉｃａｌ：ＰＨＹ）層のプロトコルスタックが設けられる。本出願の実施例は、アクセスネットワーク装置１２０の具体的な実施形態を限定するものではない。任意選択的に、アクセスネットワーク装置は、ホーム基地局（Ｈｏｍｅ  ｅＮＢ：ＨｅＮＢ）、リレー（Ｒｅｌａｙ）、ピコ基地局Ｐｉｃｏ等を含んでもよい。アクセスネットワーク装置１２０は、ネットワーク側装置と呼ばれてもよい。ネットワーク側装置は、広義において、アクセスネットワーク装置１２０の上位層に位置するコアネットワーク装置（図示されず）を更に含む。
【００２３】
アクセスネットワーク装置１２０と端末１４０は、無線エアインタフェースによって無線接続を確立する。任意選択的に、該無線エアインタフェースは、第５世代の移動体通信ネットワーク技術（５Ｇ）規格に基づいた無線エアインタフェースである。例えば、該無線エアインタフェースは、新しい無線エアインタフェースである。又は、該無線エアインタフェースは、５Ｇの次世代の移動体通信ネットワーク技術規格に基づいた無線エアインタフェースであってもよい。
【００２４】
端末１４０は、ユーザに音声及び／又はデータ接続性を供給する装置であってもよい。端末は、無線アクセスネットワーク（Ｒａｄｉｏ  Ａｃｃｅｓｓ  Ｎｅｔｗｏｒｋ：ＲＡＮ）を経由して１つ又は複数のコアネットワークと通信することができる。端末１４０は、携帯電話（「セルラー」電話と呼ばれる）や移動端末を有するコンピュータのような移動端末であってもよい。
【００２５】
図１に示した移動体通信システムにおいて、複数のアクセスネットワーク装置１２０及び／又は複数の端末１４０を含んでもよく、図１において、１つのアクセスネットワーク装置１２０及び１つの端末１４０を例として説明するが、本実施例はこれを限定するものではないことが自明である。
【００２６】
任意選択的に、５Ｇシステムの適用シナリオは、拡張モバイルブロードバンド（ｅｎｈａｎｃｅｄ  Ｍｏｂｉｌｅ  ＢｒｏａｄＢａｎｄ：ｅＭＢＢ）、超高信頼低遅延通信（Ｕｌｔｒａ  Ｒｅｌｉａｂｌｅ＆Ｌｏｗ  Ｌａｔｅｎｃｙ  Ｃｏｍｍｕｎｉｃａｔｉｏｎ：ＵＲＬＬＣ）、大規模マシンタイプ通信（ｍａｓｓｉｖｅ  Ｍａｃｈｉｎｅ  Ｔｙｐｅ  Ｃｏｍｍｕｎｉｃａｔｉｏｎ：ｍＭＴＣ）を含むが、これらに限定されない。
【００２７】
ここで、ｅＭＢＢは、ユーザによるマルチメディアコンテンツ、サービス及びデータの取得を目標とするものであり、その需要は、迅速に増加している。一方で、ｅＭＢＢは、室内、都市、農村などのような様々なシナリオに配置される可能性があるため、その能力及び需要上の差異も大きい。ＵＲＬＬＣの典型的な適用は、工業自動化、電力自動化、遠隔医療操作（手術）、交通安全確保等を含む。ｍＭＴＣの特徴は、接続密度が高く、データ量が少なく、サービスが遅延による影響を受けず、モジュールのコストが低く、耐用年数が長い等を含む。
【００２８】
５Ｇシステムの初期配置において、完全な５Ｇシステムカバレッジが実現しにくいため、典型的なネットワークカバレッジは、広域な長期的進化（Ｌｏｎｇ  Ｔｅｒｍ  Ｅｖｏｌｕｔｉｏｎ：ＬＴＥ）システムのカバレッジ及びＮＲシステムの単独カバレッジモードである。また、大量のＬＴＥは、６ＧＨｚ以下に配置されており、５Ｇに利用可能な６ＧＨｚ以下のスペクトルが極めて少ない。従って、ＮＲシステムについて、６ＧＨｚ以上のスペクトルへの適用を検討する必要がある。しかしながら、高周波帯域におけるカバレッジに制限があり、信号フェージングが速い。また、移動オペレータのＬＴＥへの初期投資を保護するために、ＬＴＥシステムとＮＲシステムとの密な連携（ｔｉｇｈｔ  ｉｎｔｅｒｗｏｒｋｉｎｇ）という作動モードが提出されている。
【００２９】
まず、本出願に係る幾つかの用語を説明する。
【００３０】
同期信号／物理ブロードキャストチャネルブロック（ＳＳ／ＰＢＣＨ  ｂｌｏｃｋ：ＳＳＢ）：プライマリ同期信号（Ｐｒｉｍａｒｙ  Ｓｙｎｃｈｒｏｎｉｚａｔｉｏｎ  Ｓｉｇｎａｌ  ＰＳＳ）、セカンダリ同期信号（Ｓｅｃｏｎｄａｒｙ  Ｓｙｎｃｈｒｏｎｉｚａｔｉｏｎ  Ｓｉｇｎａｌ：ＳＳＳ）及び物理ブロードキャストチャネル（Ｐｈｙｓｉｃａｌ  Ｂｒｏａｄｃａｓｔ  Ｃｈａｎｎｅｌ：ＰＢＣＨ）により１つのＳＳＢを構成する。典型的には、ＳＳＢは時間領域において、合計４つのシンボルを占用し、周波数領域において計２４０個のサブキャリアを占用する。勿論、ＳＳＢは他の方式で時間領域及び／又は周波数領域におけるリソースを占用してもよいが、本実施例は、これを限定するものではない。
【００３１】
広帯域キャリア（Ｗｉｄｅｂａｎｄ  ｃａｒｒｉｅｒ）：広い広帯域におけるキャリアである。
【００３２】
サービングセル：端末が現在キャンプオンしている規定セルである。
【００３３】
物理セル識別子（Ｐｈｙｓｉｃａｌ  Ｃｅｌｌ  Ｉｄｅｎｔｉｆｉｅｒ：ＰＣＩ）：異なるセルの無線信号を区別するためのものである。典型的には、移動体通信システムは、５０４個のＰＣＩを提供される。
【００３４】
セルグローバル識別子（Ｅ−ＵＴＲＡＮ  Ｃｅｌｌ  Ｇｌｏｂａｌ  Ｉｄｅｎｔｉｆｉｅｒ：ＥＣＧＩ）：ＰＬＭＮ＋Ｃｅｌｌ  Ｉｄｅｎｔｉｔｙで構成され、ＰＬＭＮにおいて１つのセルをグローバル的に識別するためのものである。
【００３５】
システム情報（Ｓｙｓｔｅｍ  Ｉｎｆｏｒｍａｔｉｏｎ：ＳＩ）：アクセスネットワークから端末に繰り返してブロードキャストされた情報であり、セルにおいてアクセスネットワーク装置と協働して動作できるように端末を指示するためのものである。任意選択的に、ＳＩＢは、最小システム情報（Ｍｉｎｉｎｕｍ  ＳＩ）及び他のシステム情報（Ｏｔｈｅｒ  ＳＩ）を含む。最小システム情報は、端末がセルにアクセスする時と関連するパラメータを含み、他のシステム情報のスケジューリング情報を更に含む。一般的には、最小システム情報ブロックは、一般的には、下り制御チャネルで伝送され、他のシステム情報は下り共有チャネルで伝送される。
【００３６】
ＳＩＢ：各ＳＩＢは、１種類のセル構成情報を伝送するためのものである。典型的には、１つのセルにおいて、１０数個のＳＩＢが定義されている。
【００３７】
本出願の一例示的な実施例によるセル再選択方法を示すフローチャートである図２を参照する。本実施例は、該セル再選択方法の図１に示した端末への適用を例として説明する。該方法は、以下を含む。
【００３８】
ステップ２０１において、端末がサービングセルのシステム情報を受信する。
【００３９】
サービングセルは、端末が現在キャンプオンしているセルである。端末は、現在キャンプオンしているサービングセルのシステム情報を受信する。
【００４０】
ステップ２０２において、端末がシステム情報から隣接セルの構成情報を取得する。
【００４１】
サービングセルのシステム情報には、複数のＳＩＢが含まれ、一部のＳＩＢに隣接セルの構成情報が含まれる。端末は、サービングセルのシステム情報から隣接セルの構成情報を取得する。該構成情報にセル再選択に関連する情報が含まれる。
【００４２】
任意選択的に、隣接セルの構成情報は、
隣接セルの所在する広帯域キャリアの、任意選択的に周波数点位置、ＰＣＩ及びＥＣＧＩのうちの少なくとも１つを含むＳＳＢ構成情報、
公衆陸上移動体ネットワークリスト、
トラッキングエリア（Ｔｒａｃｋｉｎｇ  Ａｒｅａ：ＴＡ）、
許容される最大上り送信電力、
セルアクセス禁止状態インジケータのうちの少なくとも1つを含む。
【００４３】
ステップ２０３において、端末が隣接セルの構成情報、サービングセルの信号品質及び隣接セルの信号品質に基づいてセル再選択を行う。
【００４４】
よって、本実施例が提供する方法において、端末は、現在キャンプオンしているサービングセルのシステム情報によって、隣接セルの構成情報を直接取得し、隣接セルの構成情報及び隣接セルの信号品質に基づいてセル再選択を行う。端末は、サービングセルのシステム情報から隣接セルの構成情報を直接取得でき、隣接セルのシステム情報をセンシングする必要がなく、又は隣接セルのシステム情報に対するセンシングを低減させるため、端末の計算リソース及び電力消費を低減させる。
【００４５】
上記の構成情報にセル再選択に関連する情報が含まれることは、セル再選択に関連する情報の全部又は一部が含まれることと解釈されてもよく、セル再選択に関連する全ての情報のみと狭く解釈されてはならないことが自明である。
【００４６】
本出願の一例示的な実施例によるセル再選択方法を示すフローチャートである図３を参照する。本実施例において、該セル再選択方法の図１に示した端末への適用を例として説明する。該方法は以下を含む。
【００４７】
ステップ３０１において、アクセスネットワーク装置がサービングセルの隣接セルの構成情報を取得する。
【００４８】
サービングセルは、端末が現在キャンプオンしているセルである。
【００４９】
任意選択的に、アクセスネットワーク装置がコアネットワーク装置から隣接セルの構成情報を取得するか、及び／又は、アクセスネットワーク装置が他のアクセスネットワーク装置から隣接セルの構成情報を取得する。該構成情報にセル再選択に関連する情報が含まれる。
【００５０】
任意選択的に、隣接セルの構成情報は、隣接セルの所在する広帯域キャリアの全て又は一部のＳＳＢ構成情報、ＰＬＭＮ、トラッキングエリア、許容される最大上り送信電力、セルアクセス禁止状態インジケータのうちの少なくとも1つを含む。
【００５１】
ステップ３０２において、アクセスネットワーク装置がサービングセルのシステム情報を生成し、システム情報に隣接セルの構成情報が含まれる。
【００５２】
任意選択的に、システム情報には、最小システム情報及び他のシステム情報が含まれる。最小システム情報に他のシステム情報のスケジューリング情報が含まれる。他のシステム情報におけるターゲットＳＩＢに隣接セルの構成情報が含まれる。
【００５３】
任意選択的に、ターゲットＳＩＢは、ＳＩＢ３、ＳＩＢ４、ＳＩＢ５、ＳＩＢ６、ＳＩＢ７、ＳＩＢ８のうちの少なくとも１つのＳＩＢを含む。上記隣接セルの構成情報の全ては、同一のＳＩＢに含めて伝送されてもよいし、異なるＳＩＢに分散的に含めて伝送されてもよい。
【００５４】
ステップ３０３において、アクセスネットワーク装置が端末にサービングセルのシステム情報を送信する。
【００５５】
アクセスネットワーク装置は、端末にサービングセルのシステム情報を送信する。
【００５６】
任意選択的に、アクセスネットワーク装置は端末にサービングセルのＳＳＢを送信する。該ＳＳＢは、ＰＳＳ、ＳＳＳ及びＰＢＣＨを含む。
【００５７】
ＳＳＢの１つの考えられる時間領域構成を示す図４を参照する。
【００５８】
時間領域において、１つのＳＳＢは、４つの直交周波数分割多重化（Ｏｒｔｈｏｇｏｎａｌ  Ｆｒｅｑｕｅｎｃｙ−Ｄｉｖｉｓｉｏｎ  Ｍｕｌｔｉｐｌｅｘｉｎｇ：ＯＦＤＭ）シンボルで構成され、シンボルは、ＳＳＢにおいて、０から３の昇順で番号付けられる。図４に示すように、ＰＳＳ、ＳＳＳ、ＰＢＣＨ及びＰＢＣＨの復調参照信号（Ｄｅｍｏｄｕｌａｔｉｏｎ  Ｒｅｆｅｒｅｎｃｅ  Ｓｉｇｎａｌ：ＤＭ−ＲＳ）は、異なるシンボルを占用する。図４に、ＤＭ−ＲＳが直接的に示されていない。
【００５９】
2021518062.tif 000003
【００６０】
ＳＳＢと一部重複しているか又は完全に重複している如何なる共通リソースは、占用されるものと見なされ、ＰＤＳＣＨ又はＰＤＣＣＨ伝送に用いられない。ＵＥは、ＳＳ／ＰＢＣＨ伝送に使用されないリソース要素を仮定し、一部重複している共通リソースの一部をゼロとする。
【００６１】
2021518062.tif 000004
【００６２】
アクセスネットワーク装置は更に、物理下り制御チャネル（Ｐｈｙｓｉｃａｌ  Ｄｏｗｎｌｉｎｋ  Ｃｏｎｔｒｏｌ  Ｃｈａｎｎｅｌ：ＰＤＣＣＨ）によって端末に最小システム情報を送信する。アクセスネットワーク装置は更に、物理下り共有チャネル（Ｐｈｙｓｉｃａｌ  Ｄｏｗｎｌｉｎｋ  Ｓｈａｒｅｄ  Ｃｈａｎｎｅｌ：ＰＤＳＣＨ）によって端末に他のシステム情報を送信する。
【００６３】
任意選択的に、アクセスネットワーク装置は、ＰＢＣＨチャネルにおいて、最小システム情報の第１スケジューリング情報を送信する。アクセスネットワーク装置は、最小システム情報において、他のシステム情報の第２スケジューリング情報を送信する。
【００６４】
ここで、他のシステム情報は、ターゲットＳＩＢを含み、ターゲットＳＩＢに隣接セルの構成情報が含まれる。
【００６５】
ステップ３０４において、端末がサービングセルのシステム情報を受信する。
【００６６】
サービングセルは端末が現在キャンプオンしているセルである。端末は、現在キャンプオンしているサービングセルのシステム情報を受信する。
【００６７】
任意選択的に、本ステップは下記サブステップを含む。
【００６８】
３０４ａにおいて、サービングセルのＰＢＣＨによって、最小システム情報の第１スケジューリング情報を決定する。
【００６９】
端末がサービングセルにアクセスするプロセスにおいて、ＰＳＳ及びＳＳＳによって、サービングセルと上り／下りの同期が確立されている。下り同期を確立した後に、端末は、図４に示したスロット構成に従って、サービングセルのＰＢＣＨを受信し、ＰＢＣＨから最小システムの第１スケジューリング情報を取得する。
【００７０】
３０４ｂにおいて、第１スケジューリング情報に基づいて最小システム情報を受信する。
【００７１】
任意選択的に、最小システム情報は、ＰＤＣＣＨに含まれる。端末は、第１スケジューリング情報に基づいて、ＰＤＣＣＨにおける最小システム情報を受信する。
【００７２】
３０４ｃにおいて、最小システム情報によって、他のシステム情報の第２スケジューリング情報を決定する。
【００７３】
任意選択的に、最小システム情報に、全ての他のシステム情報の第２スケジューリング情報が含まれる。他のシステム情報は、複数のＳＩＢを含み、各ＳＩＢの送信位置及び送信周期は、同じであっても、又は異なっていてもよい。
【００７４】
ここで、複数のＳＩＢには、１つ又は複数のターゲットＳＩＢが存在し、ターゲットＳＩＢに隣接セルの構成情報が含まれる。
【００７５】
３０４ｄにおいて、第２スケジューリング情報に基づいて、ターゲットＳＩＢを受信する。
【００７６】
任意選択的に、端末は、他のシステム情報の第２スケジューリング情報に基づいて、ターゲットＳＩＢを受信する。つまり、端末は、他のシステム情報における全てのＳＩＢを受信する必要がなく、実際の需要に応じて一部のＳＩＢを選択的に受信すればよい。該一部のＳＩＢには、ターゲットＳＩＢが含まれる。
【００７７】
任意選択的に、端末は第２スケジューリング情報に基づいて、ＰＤＳＣＨにおいてターゲットＳＩＢを受信する。
【００７８】
ステップ３０５において、端末がシステム情報から隣接セルの構成情報を取得する。
【００７９】
端末はターゲットＳＩＢから隣接セルの構成情報を取得する。
【００８０】
任意選択的に、隣接セルの構成情報は、
隣接セルの所在する広帯域キャリアのＳＳＢ構成情報（任意選択的に、ＳＳＢ構成情報が、周波数点位置、ＰＣＩ及びＥＣＧＩのうちの少なくとも１つを含む）、
ＰＬＭＮ、
トラッキングエリア（Ｔｒａｃｋｉｎｇ  Ａｒｅａ：ＴＡ）、
許容される最大上り送信電力Ｐｍａｘ、
セルアクセス禁止状態インジケータのうちの少なくとも1つを含む。
【００８１】
ステップ３０６において、端末が隣接セルの構成情報及び隣接セルの信号品質に基づいて、隣接セルが適切な候補隣接セルであるかを判定する。
【００８２】
各端末の能力が異なっており、異なるセルにより提供されるアクセスパラメータ及びサービスも異なるため、隣接セルは、現在端末がアクセスして利用できる適切なセルとは限らない。
【００８３】
任意選択的に、端末は、上記隣接セルの構成情報及び隣接セルの信号品質に基づいて、隣接セルが適切な候補隣接セルであるかを判定する。
【００８４】
任意選択的に、隣接セルの信号品質は、端末による隣接セルの参照信号の測定で得られる。考えられる実施形態において、信号品質は、参照信号受信電力（Ｒｅｆｅｒｅｎｃｅ  Ｓｉｇｎａｌ  Ｒｅｃｅｉｖｅｄ  Ｐｏｗｅｒ：ＲＳＲＰ）で表される。
【００８５】
任意選択的に、端末は、隣接セルの構成情報に基づいて、隣接セルが第１条件を満たすかを判定する。隣接セルの信号品質に基づいて、隣接セルが第２条件を満たすかを判定する。隣接セルが同時に第１条件及び第２条件を満たす場合、隣接セルが適切な候補隣接セルであると判定する。隣接セルが第１条件及び第２条件のうちのいずれか１つを満たしていない場合、隣接セルが適切な候補隣接セルではないと判定する。本出願の実施例は、端末による第１条件及び第２条件の判定の順番を限定するものではない。
【００８６】
任意選択的に、第２条件は、セル再選択時のＳ基準である。
【００８７】
端末は、隣接セルの周波数点構成、セルタイプ、ＰＬＭＮ及びＴＡのうちの少なくとも１つの情報が所定の候補条件に適合し、且つ隣接セルの信号品質がセル再選択時のＳ基準に適合する場合、該隣接セルが適切な候補隣接セルであると判定する。
【００８８】
ステップ３０７において、隣接セルが適切な候補隣接セルである場合、サービングセルの信号品質及び隣接セルの信号品質に基づいて、セル再選択を行う。
【００８９】
任意選択的に、サービングセルの信号品質は、端末によるサービングセルの参照信号の測定で得られ、隣接セルの信号品質は、端末による隣接セルの参照信号の測定で得られる。考えられる実施形態において、信号品質は、参照信号受信電力（Ｒｅｆｅｒｅｎｃｅ  Ｓｉｇｎａｌ  Ｒｅｃｅｉｖｅｄ  Ｐｏｗｅｒ：ＲＳＲＰ）で表される。
【００９０】
隣接セルが適切な候補隣接セルである場合、端末は、サービングセル及び隣接セルの信号品質に基づいてセル再選択を行う。
【００９１】
任意選択的に、隣接セルが適切な候補隣接セルである場合、端末は更に、サービングセル及び隣接セルの再選択優先度及び信号品質に基づいてセル再選択を行う。
【００９２】
任意選択的に、再選択優先度は、アクセスネットワーク装置により予め設定される。アクセスネットワーク装置は、サービングセル及び隣接セルが同周波数セルに属するか、異周波数セルに属するか等の要因に基づいて、各隣接セルのために、再選択応答優先度を設定することもできる。本実施例は、再選択優先度の設定方式を限定するものではない。
【００９３】
ステップ３０８において、隣接セルが適切な候補隣接セルではない場合、該隣接セルを無視する。
【００９４】
任意選択的に、隣接セルが適切な候補隣接セルではない場合、端末は、該隣接セルを無視してもよい。
【００９５】
よって、本実施例が提供するセル再選択方法において、端末は、現在キャンプオンしているサービングセルのシステム情報によって、隣接セルの構成情報を直接取得し、隣接セルの構成情報に基づいてセル再選択を行う。端末は、サービングセルのシステム情報から隣接セルの構成情報を直接取得でき、隣接セルのシステム情報をセンシングする必要がなく、又は隣接セルのシステム情報に対するセンシングを低減させるため、端末の計算リソース及び電力消費を低減させる。
【００９６】
上記ステップ３０６に基づいて提供される選択可能な技術的解決手段において、隣接セルの構成情報には、隣接セルの所在する広帯域キャリアの全てのＳＳＢ構成情報が含まれる。端末が隣接セルの構成情報に基づいて隣接セルが第１条件を満たすかを判定する場合、下記ステップのうちの少なくとも１つを含んでもよい。
【００９７】
−端末は、隣接セルの所在する広帯域キャリアのＳＳＢ構成情報に基づいて隣接セルの周波数点構成を取得する。該周波数点構成に基づいて、隣接セルの周波数点をサポートするかを判定する。隣接セルの周波数点をサポートすれば、隣接セルが適切な候補隣接セルであると判定するか、又は、他の構成情報を参照しながら、隣接セルが適切な候補隣接セルであるかを判断し続ける。隣接セルの周波数点をサポートしなければ、隣接セルが適切な候補隣接セルではないと判定する。
【００９８】
−端末は、隣接セルの所在する広帯域キャリアのＳＳＢ構成情報に基づいて隣接セルのセル識別子を取得する。該隣接セルのセル識別子に基づいて、該隣接セルが禁止されるセルであるかを判定する。該隣接セルが禁止されるセルでなければ、隣接セルが適切な候補隣接セルであると判定するか、又は、他の構成情報を参照しながら、隣接セルが適切な候補隣接セルであるかを判断し続ける。該隣接セルが禁止されるセルであれば、該隣接セルが適切な候補隣接セルではないと判定する。
【００９９】
上記ＳＳＢ構成情報の使用過程は、概略的な説明のためのものに過ぎず、本出願の実施例は、端末が隣接セルのＳＳＢ構成情報に基づいて隣接セルが第１条件を満たすかを如何に判定するかを限定するものではないことが自明である。
【０１００】
上記ステップ３０６に基づいて提供される選択可能な技術的解決手段において、隣接セルの構成情報には、ＰＬＭＮが含まれる。端末が隣接セルの構成情報に基づいて隣接セルが第１条件を満たすかを判定する場合、下記ステップのうちの少なくとも１つを含んでもよい。
【０１０１】
−端末は、隣接セルのＰＬＭＮが前回起動又はセルから離れる前に登録されたＰＬＭＮであるかを判定する。隣接セルのＰＬＭＮが前回起動又はセルから離れる前に登録されたＰＬＭＮであれば、隣接セルが適切な候補隣接セルであると判定するか、又は、他の構成情報を参照しながら、隣接セルが適切な候補隣接セルであるかを判断し続ける。隣接セルのＰＬＭＮが前回起動又はセルから離れる前に登録されたＰＬＭＮでなければ、他の構成情報を参照しながら、隣接セルが適切な候補隣接セルであるかを判断し続ける。
【０１０２】
−端末は、隣接セルのＰＬＭＮがホームＰＬＭＮ（Ｈｏｍｅ  ＰＬＭＮ：ＨＰＬＭＮ）又は等価ホームＰＬＭＮ（ＥｑｕｉｖａｌｅｎｔＨｏｍｅ  ＰＬＭＮ：ＥＨＰＬＭＮ）に属するかを判定する。隣接セルのＰＬＭＮがＨＰＬＭＮ又はＥＨＰＬＭＮに属すれば、隣接セルが適切な候補隣接セルであると判定するか、又は、他の構成情報を参照しながら、隣接セルが適切な候補隣接セルであるかを判断し続ける。隣接セルのＰＬＭＮがＨＰＬＭＮ又はＥＨＰＬＭＮに属しなければ、隣接セルが適切な候補隣接セルではないと判定するか、又は、他の構成情報を参照しながら、隣接セルが適切な候補隣接セルであるかを判断し続ける。
【０１０３】
−端末は、隣接セルのＰＬＭＮがホームＰＬＭＮ（Ｈｏｍｅ  ＰＬＭＮ：ＨＰＬＭＮ）又は等価ホームＰＬＭＮ（ＥｑｕｉｖａｌｅｎｔＨｏｍｅ  ＰＬＭＮ：ＥＨＰＬＭＮ）に属するかを判定する。隣接セルのＰＬＭＮがＨＰＬＭＮ又はＥＨＰＬＭＮに属すれば、隣接セルが適切な候補隣接セルであると判定するか、又は、他の構成情報を参照しながら、隣接セルが適切な候補隣接セルであるかを判断し続ける。隣接セルのＰＬＭＮがＨＰＬＭＮ又はＥＨＰＬＭＮに属しなければ、隣接セルが適切な候補隣接セルではないと判定するか、又は、他の構成情報を参照しながら、隣接セルが適切な候補隣接セルであるかを判断し続ける。
【０１０４】
−端末は、隣接セルのＰＬＭＮがキャンプオン禁止ＰＬＭＮ（Ｆｏｒｂｉｄｄｅｎ  ＰＬＭＮ：ＦＬＭＮ）に属しないかを判定する。隣接セルのＰＬＭＮがＦＰＬＭＮに属しなければ、隣接セルが適切な候補隣接セルであると判定するか、又は、他の構成情報を参照しながら、隣接セルが適切な候補隣接セルであるかを判断し続ける。隣接セルのＰＬＭＮがＦＰＬＭＮに属すれば、隣接セルが適切な候補隣接セルではないと判定する。
【０１０５】
−端末は、隣接セルのＰＬＭＮがキャンプオン禁止ＰＬＭＮ（Ｆｏｒｂｉｄｄｅｎ  ＰＬＭＮ：ＦＬＭＮ）に属しないかを判定する。隣接セルのＰＬＭＮがＦＰＬＭＮに属しなければ、隣接セルが適切な候補隣接セルであると判定するか、又は、他の構成情報を参照しながら、隣接セルが適切な候補隣接セルであるかを判断し続ける。隣接セルのＰＬＭＮがＦＰＬＭＮに属すれば、隣接セルが適切な候補隣接セルではないと判定する。
【０１０６】
−端末が所定の優先度順位に基づいて、隣接セルのＰＬＭＮの優先度が所定の条件を満たすかを判定する。隣接セルのＰＬＭＮの優先度が所定の条件を満たしている場合、隣接セルが適切な候補隣接セルであると判定する。隣接セルのＰＬＭＮの優先度が所定の条件を満たしていなければ、隣接セルが適切な候補隣接セルではないと判定する。該所定の優先度順位は、ユーザ制御ＰＬＭＮ（Ｕｓｅｒ  Ｃｏｎｔｒｏｌｌｅｄ  ＰＬＭＮ：ＵＰＬＭＮ）優先度又はオペレータ制御ＰＬＭＮ（Ｏｐｅｒａｔｏｒ  Ｃｏｎｔｒｏｌｌｅｄ  ＰＬＭＮ）優先度であってもよい。
【０１０７】
上記ＰＬＭＮ選択ポリシーは、概略的な説明のためのものに過ぎず、本出願の実施例は、端末が隣接セルのＰＬＭＮに基づいて隣接セルが第１条件を満たすかを如何に判定するかを限定するものではないことが自明である。
【０１０８】
上記ステップ３０６に基づいて提供される選択可能な技術的解決手段において、隣接セルの構成情報には、ＴＡが含まれる。端末が隣接セルの構成情報に基づいて隣接セルが第１条件を満たすかを判定する場合、下記ステップのうちの少なくとも１つを含んでもよい。
【０１０９】
−端末は、隣接セルのＴＡが使用禁止されたＴＡに属しないかを判定する。隣接セルのＴＡが使用禁止されたＴＡに属しなければ、隣接セルが適切な候補隣接セルであると判定するか、又は、他の構成情報を参照しながら、隣接セルが適切な候補隣接セルであるかを判断し続ける。隣接セルのＴＡが使用禁止されたＴＡに属すれば、隣接セルが適切な候補隣接セルではないと判定する。
【０１１０】
−端末は、隣接セルのＴＡとサービングセルのＴＡとが同一のＴＡリストに属するかを判定する。隣接セルのＴＡとサービングセルのＴＡとが同一のＴＡリストに属すれば、隣接セルが適切な候補隣接セルであると判定するか、又は、他の構成情報を参照しながら、隣接セルが適切な候補隣接セルであるかを判断し続ける。隣接セル的ＴＡが使用禁止されたＴＡに属すれば、隣接セルが適切な候補隣接セルではないと判定する。
【０１１１】
上記ＴＡ選択ポリシーは、概略的な説明のためのものに過ぎず、本出願の実施例は、端末が隣接セルのＴＡに基づいて隣接セルが第１条件を満たすかを如何に判定するかを限定するものではないことが自明である。
【０１１２】
上記ステップ３０６に基づいて提供される選択可能な技術的解決手段において、隣接セルの構成情報には、許容される最大上り送信電力Ｐｍａｘが含まれる。端末が隣接セルの構成情報に基づいて隣接セルが第１条件を満たすかを判定する場合、下記ステップを含んでもよい。
【０１１３】
−端末は、自体の実際の最大上り送信電力Ｐｕｍａｘ及び隣接セルの許容される最大上り送信電力が所定の条件を満たすかを判定する。該所定の条件を満たしていると、隣接セルが適切な候補隣接セルであると判定する。該所定の条件を満たしていなければ、隣接セルが適切な候補隣接セルではないと判定する。任意選択的に、所定の条件は、セル選択／再選択に関わるＳ基準に基づいて決定された条件である。
【０１１４】
上記Ｐｍａｘ選択ポリシーは、概略的な説明のためのものに過ぎず、本出願の実施例は、端末が隣接セルのＰｍａｘに基づいて隣接セルが第１条件を満たすかを如何に判定するかを限定するものではないことが自明である。
【０１１５】
上記ステップ３０６に基づいて提供される選択可能な技術的解決手段において、隣接セルの構成情報には、セルアクセス禁止状態インジケータが含まれる。端末が隣接セルの構成情報に基づいて隣接セルが第１条件を満たすかを判定する場合、下記ステップを含んでもよい。
【０１１６】
−端末は、隣接セルのセルアクセス禁止状態インジケータが禁止状態であるかを判定する。セルアクセス禁止状態インジケータが禁止状態でなければ、該隣接セルが適切な候補隣接セルであると判定するか、又は、他の構成情報を参照しながら、隣接セルが適切な候補隣接セルであるかを判断し続ける。セルアクセス禁止状態インジケータが禁止状態であれば、該隣接セルが適切な候補隣接セルではないと判定する。
【０１１７】
上記セルアクセス禁止状態の選択ポリシーは、概略的な説明のためのものに過ぎず、本出願の実施例は、端末が隣接セルのセルアクセス禁止状態に基づいて隣接セルが第１条件を満たすかを如何に判定するかを限定するものではないことが自明である。
【０１１８】
なお、端末は、上記隣接セルの構成情報のうちの少なくとも２つの情報によって、隣接セルが第１条件を満たすかを総合的に判定することもでき、これは、当業者が上記開示された内容を参照しながら容易に思い付くものであり、本明細書において詳細な説明を省略することが自明である。
【０１１９】
以下、本出願の装置の実施例を説明する。装置の実施例は、方法の実施例に一対一に対応するため、装置の実施例における詳細に説明されない細部について、上記方法の実施例を参照されたい。
【０１２０】
本出願の一例示的な実施例によるセル再選択装置を示すブロック図である図５を参照する。該装置は、ソフトウェア、ハードウェア又は両者の組み合わせにより、端末の全部又は一部として実現されてもよい。前記装置は、
サービングセルのシステム情報を受信するように構成される受信モジュール５２０と、
前記システム情報から隣接セルの構成情報を取得するように構成される処理モジュール５４０であって、前記構成情報にセル再選択に関連する情報が含まれる処理モジュール５４０とを備え、
前記処理モジュール５４０が、前記隣接セルの構成情報、前記サービングセルの信号品質及び前記隣接セルの信号品質に基づいて、セル再選択を行うように構成される。
【０１２１】
一選択可能な実施例において、前記隣接セルの構成情報は、
前記隣接セルの所在する広帯域キャリアの同期信号ブロック構成情報、
公衆陸上移動体ネットワークリスト、
トラッキングエリア、
許容される最大上り送信電力、
セルアクセス禁止状態インジケータのうちの少なくとも１つを含む。
【０１２２】
一選択可能な実施例において、前記同期信号ブロック構成情報は、周波数点位置、物理セル識別子及びセルグローバル識別子のうちの少なくとも１つを含む。
【０１２３】
一選択可能な実施例において、前記処理モジュール５４０は、前記サービングセルの物理ブロードキャストチャネルによって、最小システム情報の第１スケジューリング情報を決定するように構成される。前記処理モジュール５４０は、前記第１スケジューリング情報に基づいて、前記最小システム情報を受信するように構成される。前記処理モジュール５４０は、前記最小システム情報によって、他のシステム情報の第２スケジューリング情報を決定するように構成される。前記処理モジュール５４０は、前記第２スケジューリング情報に基づいて、ターゲットシステム情報ブロックを受信するように構成され、前記ターゲットシステム情報ブロックに前記隣接セルの構成情報が含まれる。
【０１２４】
一選択可能な実施例において、前記ターゲットシステム情報ブロックは、ステム情報ブロック３、システム情報ブロック４、システム情報ブロック５、システム情報ブロック６、システム情報ブロック７及びシステム情報ブロック８のうちの少なくとも１つを含む。
【０１２５】
一選択可能な実施例において、前記処理モジュール５４０は、前記隣接セルの構成情報及び前記隣接セルの信号品質に基づいて、前記隣接セルが適切な候補隣接セルであるかを判定するように構成される。前記処理モジュール５４０は、前記隣接セルが適切な候補隣接セルである場合、前記サービングセルの信号品質及び前記隣接セルの信号品質に基づいて、セル再選択を行うように構成される。
【０１２６】
本実施例の一例示的な実施例によるセル再選択装置を示すブロック図である図６を参照する。該装置は、ソフトウェア、ハードウェア又は両者の組み合わせにより、端末の全部又は一部として実現されてもよい。前記装置は、
サービングセルの隣接セルの構成情報を取得し、前記構成情報にセル再選択に関連する情報が含まれることと、前記サービングセルのシステム情報を生成し、前記システム情報に前記隣接セルの構成情報が含まれることと、を実行するように構成される処理モジュール６２０と、
端末に前記サービングセルのシステム情報を送信するように構成される送信モジュール６４０とを備え、
前記端末が、前記サービングセルにキャンプオンする端末であり、前記構成情報が、前記端末がセル再選択を行うためのものである。
【０１２７】
一選択可能な実施例において、前記隣接セルの構成情報は、
前記隣接セルの所在する広帯域キャリアの同期信号ブロック構成情報、
公衆陸上移動体ネットワークリスト、
トラッキングエリア、
許容される最大上り送信電力、
セルアクセス禁止状態インジケータのうちの少なくとも１つを含む。
【０１２８】
一選択可能な実施例において、前記同期信号ブロック構成情報は、周波数点位置、物理セル識別子及びセルグローバル識別子のうちの少なくとも１つを含む。
【０１２９】
一選択可能な実施例において、前記システム情報は、最小システム情報及び他のシステム情報を含み、
前記最小システム情報に、前記他のシステム情報のスケジューリング情報が含まれ、
前記他のシステム情報におけるターゲットシステム情報ブロックに、前記隣接セルの構成情報が含まれる。
【０１３０】
一選択可能な実施例において、前記ターゲットシステム情報ブロックは、システム情報ブロック３、システム情報ブロック４、システム情報ブロック５、システム情報ブロック６、システム情報ブロック７及びシステム情報ブロック８農地の少なくとも１つを含む。
【０１３１】
本出願の一例示的な実施例による端末の構成を示す概略図である図７を参照する。該端末は、プロセッサ１０１と、受信機１０２と、送信機１０３と、メモリ１０４と、バス１０５とを備える。
【０１３２】
プロセッサ１０１は、１つ又は１つ以上の処理コアを含み、プロセッサ１０１は、ソフトウェアプログラム及びモジュールを実行することで、異なる機能のアプリケーション及び情報処理を行う。
【０１３３】
受信機１０２及び送信機１０３は、１つの通信ユニットとして実現されてもよく、該通信ユニットは、１枚の通信チップであってもよい。
【０１３４】
メモリ１０４は、バス１０５を介してプロセッサ１０１に接続される。
【０１３５】
メモリ１０４は、少なくとも１つの命令を記憶するように構成されてもよく、プロセッサ１０１は、該少なくとも１つの命令を実行して上記方法の実施例における端末により実行される各ステップを実現させるように構成される。
【０１３６】
なお、メモリ１０４は、任意のタイプの揮発性又は不揮発性記憶装置やそれらの組み合わせにより実現してもよい。揮発性又は不揮発性記憶装置は、磁気ディスクや光ディスク、電気的消去可能なプログラマブル読み出し専用メモリ（ＥＥＰＲＯＭ）、消去可能なプログラマブル読み出し専用メモリ（ＥＰＲＯＭ）、スタティックランダムアクセスメモリ（ＳＲＡＭ）、読み出し専用メモリ（ＲＯＭ）、磁気メモリ、フラッシュメモリ、プログラマブル読み出し専用メモリ（ＰＲＯＭ）を含むが、これらに限定されない。
【０１３７】
本出願の一例示的な実施例によるアクセスネットワーク装置の構成を示す概略図である図８を参照する。該アクセスネットワーク装置は、プロセッサ１１１と、受信機１１２と、送信機１１３と、メモリ１１４と、バス１１５とを備える。
【０１３８】
プロセッサ１１１は、１つ又は１つ以上の処理コアを含み、プロセッサ１１１は、ソフトウェアプログラム及びモジュールを実行することで、異なる機能のアプリケーション及び情報処理を行う。
【０１３９】
受信機１１２及び送信機１１３は、１つの通信ユニットとして実現されてもよく、該通信ユニットは、１枚の通信チップであってもよい。
【０１４０】
メモリ１１４は、バス１１５を介してプロセッサ１１１に接続される。
【０１４１】
メモリ１１４は、少なくとも１つの命令を記憶するように構成されてもよく、プロセッサ１１１は、該少なくとも１つの命令を実行して上記方法の実施例におけるアクセスネットワーク装置により実行される各ステップを実現させるように構成される。
【０１４２】
なお、メモリ１１４は、任意の１タイプの揮発性又は不揮発性記憶装置やそれらの組み合わせにより実現してもよい。揮発性又は不揮発性記憶装置は、磁気ディスクや光ディスク、電気的消去可能なプログラマブル読み出し専用メモリ（ＥＥＰＲＯＭ）、消去可能なプログラマブル読み出し専用メモリ（ＥＰＲＯＭ）、スタティックランダムアクセスメモリ（ＳＲＡＭ）、読み出し専用メモリ（ＲＯＭ）、磁気メモリ、フラッシュメモリ、プログラマブル読み出し専用メモリ（ＰＲＯＭ）を含むが、これらに限定されない。
【０１４３】
本出願は、コンピュータ可読記憶媒体を提供する。前記記憶媒体には、少なくとも１つの命令が記憶されており、前記少なくとも１つの命令は、前記プロセッサによりロードされて実行され、上記各方法の実施例により提供されるセル再選択方法及び／又はシステム情報送信方法を実現させる。
【０１４４】
本出願は、コンピュータプログラム製品を更に提供する。コンピュータプログラム製品がコンピュータ上で実行される時、コンピュータに、上記各方法の実施例により提供されるセル再選択方法及び／又はシステム情報送信方法を実行させる。
【０１４５】
上記１つ又は複数の例において、本出願の実施例で説明した機能をハードウェア、ソフトウェア、ファームウェア又はそれらの任意の組み合わせにより実現させることができることは、当業者であれば理解すべきである。ソフトウェアにより実現する場合、これらの機能をコンピュータ可読媒体に記憶してもよいし、コンピュータ可読媒体における１つ又は複数の命令又はコードとして伝送してもよい。コンピュータ可読媒体は、コンピュータ記憶媒体及び通信媒体を含む。ここで、通信媒体は、１つの場所から別の場所へコンピュータプログラムを伝送するのに使用できる如何なる媒体も含む。記憶媒体は、汎用又は専用コンピュータがアクセス可能な、如何なる利用可能な媒体であってもよい。
【０１４６】
以上は本出願の好ましい実施例に過ぎず、本出願を限定するものではなく、本願の精神及び原則の範囲内で行った修正、同等置換、改良等は、いずれも本願の保護範囲に含まれる。
【図１】
2021518062.tif 000005
【図２】
2021518062.tif 000006
【図３】
2021518062.tif 000007
【図４】
2021518062.tif 000008
【図５】
2021518062.tif 000009
【図６】
2021518062.tif 000010
【図７】
2021518062.tif 000011
【図８】
2021518062.tif 000012
【手続補正書】
【提出日】令和3年1月19日(2021.1.19)
【手続補正１】
【補正対象書類名】特許請求の範囲
【補正対象項目名】全文
【補正方法】変更
【補正の内容】
【特許請求の範囲】
【請求項１】
セル再選択方法であって、
端末が、サービングセルのシステム情報を受信することと、
前記端末が、前記システム情報から隣接セルの構成情報を取得し、前記構成情報にセル再選択に関連する情報が含まれることと、
前記端末が、前記隣接セルの構成情報、前記サービングセルの信号品質及び前記隣接セルの信号品質に基づいて、セル再選択を行うこととを含む、前記方法。
【請求項２】
前記隣接セルの構成情報は、
前記隣接セルの所在する広帯域キャリアの同期信号ブロック構成情報、
公衆陸上移動体ネットワークリスト、
トラッキングエリア、
許容される最大上り送信電力、
セルアクセス禁止状態インジケータのうちの少なくとも１つを含むことを特徴とする
請求項１に記載の方法。
【請求項３】
前記同期信号ブロック構成情報は、周波数点位置、物理セル識別子及びセルグローバル識別子のうちの少なくとも１つを含むことを特徴とする
請求項２に記載の方法。
【請求項４】
前記端末がサービングセルのシステム情報を受信することは、
前記端末が、前記サービングセルの物理ブロードキャストチャネルによって、最小システム情報の第１スケジューリング情報を決定することと、
前記端末が、前記第１スケジューリング情報に基づいて前記最小システム情報を受信することと、
前記端末が、前記最小システム情報によって、他のシステム情報の第２スケジューリング情報を決定することと、
前記端末が、前記第２スケジューリング情報に基づいて、ターゲットシステム情報ブロックを受信し、前記ターゲットシステム情報ブロックに、前記隣接セルの構成情報が含まれることとを含むことを特徴とする
請求項１から３のいずれか一項に記載の方法。
【請求項５】
前記ターゲットシステム情報ブロックは、システム情報ブロック３、システム情報ブロック４、システム情報ブロック５、システム情報ブロック６、システム情報ブロック７及びシステム情報ブロック８のうちの少なくとも１つを含むことを特徴とする
請求項４に記載の方法。
【請求項６】
前記端末が前記構成情報に基づいてセル再選択を行うことは、
前記構成情報及び前記隣接セルの信号品質に基づいて、前記隣接セルが適切な候補隣接セルであるかを判定することと、
前記隣接セルが適切な候補隣接セルである場合、前記サービングセルの信号品質及び前記隣接セルの信号品質に基づいて、セル再選択を行うこととを含むことを特徴とする
請求項１に記載の方法。
【請求項７】
システム情報送信方法であって、
アクセスネットワーク装置が、サービングセルの隣接セルの構成情報を取得し、前記構成情報にセル再選択に関連する情報が含まれることと、
前記アクセスネットワーク装置が、前記サービングセルのシステム情報を生成し、前記システム情報に前記隣接セルの構成情報が含まれることと、
前記アクセスネットワーク装置が、端末に前記サービングセルのシステム情報を送信することとを含み、
前記端末が、前記サービングセルにキャンプオンする端末であり、前記構成情報が、前記端末がセル再選択を行うためのものである、前記方法。
【請求項８】
前記隣接セルの構成情報は、
前記隣接セルの所在する広帯域キャリアの同期信号ブロック構成情報、
公衆陸上移動体ネットワークリスト、
トラッキングエリア、
許容される最大上り送信電力、
セルアクセス禁止状態インジケータのうちの少なくとも１つを含むことを特徴とする
請求項７に記載の方法。
【請求項９】
前記システム情報は、最小システム情報及び他のシステム情報を含み、
前記最小システム情報に、前記他のシステム情報のスケジューリング情報が含まれ、
前記他のシステム情報におけるターゲットシステム情報ブロックに前記隣接セルの構成情報が含まれることを特徴とする。
請求項７又は８に記載の方法。
【請求項１０】
セル再選択装置であって、
サービングセルのシステム情報を受信するように構成される受信モジュールと、
前記システム情報から隣接セルの構成情報を取得するように構成される処理モジュールであって、前記構成情報にセル再選択に関連する情報が含まれる処理モジュールとを備え、
前記処理モジュールが、前記隣接セルの構成情報、前記サービングセルの信号品質及び前記隣接セルの信号品質に基づいて、セル再選択を行うように構成される、前記装置。
【請求項１１】
前記隣接セルの構成情報は、
前記隣接セルの所在する広帯域キャリアの同期信号ブロック構成情報、
公衆陸上移動体ネットワークリスト、
トラッキングエリア、
許容される最大上り送信電力、
セルアクセス禁止状態インジケータのうちの少なくとも１つを含むことを特徴とする
請求項１０に記載の装置。
【請求項１２】
前記処理モジュールは、前記サービングセルの物理ブロードキャストチャネルによって、最小システム情報の第１スケジューリング情報を決定するように構成され、
前記処理モジュールは、前記第１スケジューリング情報に基づいて、前記最小システム情報を受信するように構成され、
前記処理モジュールは、前記最小システム情報によって、他のシステム情報の第２スケジューリング情報を決定するように構成され、
前記処理モジュールは、前記第２スケジューリング情報に基づいて、ターゲットシステム情報ブロックを受信するように構成され、前記ターゲットシステム情報ブロックに、前記隣接セルの構成情報が含まれることを特徴とする
請求項１０又は１１に記載の装置。
【請求項１３】
前記処理モジュールは、前記構成情報及び前記隣接セルの信号品質に基づいて、前記隣接セルが適切な候補隣接セルであるかを判定するように構成され、
前記処理モジュールは、前記隣接セルが適切な候補隣接セルである場合、前記サービングセルの信号品質及び前記隣接セルの信号品質に基づいて、セル再選択を行うように構成されることを特徴とする
請求項１０に記載の装置。
【請求項１４】
端末であって、プロセッサとメモリとを備え、前記メモリに少なくとも１つの命令が記憶されており、前記少なくとも１つの命令は、前記プロセッサにより実行されて請求項１から６のいずれか一項に記載のセル再選択方法を実現するためのものである、前記端末。
【請求項１５】
コンピュータ可読記憶媒体であって、少なくとも１つの命令が記憶されており、前記少なくとも１つの命令は、プロセッサにより実行されて請求項１から６のいずれか一項に記載のセル再選択方法を実現するためのものである、前記コンピュータ可読記憶媒体。
【国際調査報告】
2021518062.tif 000013
2021518062.tif 000014
2021518062.tif 000015
2021518062.tif 000016